(57)【要約】【課題】本発明は、損傷しているコードを自動的に検知し且つ修復することができるソリッドステートドライブを提供することを目的とする。【解決手段】本発明に係るソリッドステートドライブは、板体と、板体に設置された制御チップと、板体に設置された複数の記憶チップと、板体に設置された記憶部と、を備え、記憶チップ及び記憶部にはコードが記憶され、制御チップは、記憶部に接続され、制御チップは記憶チップのコードが損傷していると検知した場合、制御チップは記憶部からコードを読み取り、記憶チップにアップロードし、制御チップは記憶チップに接続され、記憶チップがデータを記憶する又は読み取るよう制御する。【選択図】図２
2015046163.tif 000002
【特許請求の範囲】
【請求項１】
板体と、
前記板体に設置された制御チップと、
前記板体に設置された複数の記憶チップと、
前記板体に設置された記憶部と、
を備えてなるソリッドステートドライブであって、
前記記憶チップ及び前記記憶部にはコードが記憶され、前記制御チップは、前記記憶部に接続され、前記記憶チップのコードが損傷していると検知した場合、前記制御チップは前記記憶部からコードを読み取り、前記記憶チップにアップロードし、前記制御チップは前記記憶チップに接続され、前記記憶チップがデータを記憶する又は読み取るよう制御することを特徴とするソリッドステートドライブ。
【請求項２】
前記板体の側辺から延出する延伸板と、前記延伸板に設置された第一エッジコネクタと、を更に備え、
前記第一エッジコネクタは複数の信号ピン及び複数の第一グランドピンを備え、前記信号ピンは前記制御チップに接続され、前記第一グランドピンは、前記板体の接地層に接続され、
前記第一エッジコネクタはマザーボードの記憶装置ポートに接続され、前記板体の底部には前記マザーボードのスロットに接続される第二エッジコネクタが設置され、前記第二エッジコネクタは複数の電源ピン及び複数の第二グランドピンを備え、前記第二グランドピンは前記板体の接地層に接続され、前記電源ピンは前記制御チップ、前記記憶チップ及び前記記憶部に接続され、前記第二グランドピンは前記板体の接地層に接続され、
前記制御チップ、前記記憶チップ及び前記記憶部は前記第二エッジコネクタ及び前記電源ピンを介してマザーボードから電圧を受信し、前記制御チップは前記コードが正常であると判断された場合、前記制御チップ及び前記記憶チップは初期化を開始し、前記制御チップは前記信号ピンを介して前記マザーボードから制御信号を受信し、前記記憶チップがデータを記憶又は読み取るよう制御し、
前記制御チップは、コードが正常ではないと検知された場合、前記記憶部からコードを読み取り、前記記憶チップにアップロードし、前記マザーボードが作動すると、前記スロット及び前記電源ピンを介して、前記制御チップ、前記記憶チップ及び前記記憶部に電圧を送信し、前記制御チップ及び前記記憶チップは初期化を開始し、前記制御チップは前記信号ピンを介して前記マザーボードから制御信号を受信し、前記記憶チップがデータを記憶又は読み取るよう制御することを特徴とする請求項１に記載のソリッドステートドライブ。
【請求項３】
前記制御チップに接続されている第一指示ライト及び第二指示ライトを更に備え、前記コードが損傷した場合、第一指示ライトが点灯され、前記記憶チップにコードをアップロードする作業が完了すると第二指示ライトが点灯されることを特徴とする請求項１又は２の何れか一項に記載のソリッドステートドライブ。
【発明の詳細な説明】
【技術分野】
【０００１】
本発明は、ソリッドステートドライブに関するものである。
【背景技術】
【０００２】
従来の技術において、マザーボードに接続されるソリッドステートドライブのコードが損傷した場合、システムは故障したソリッドステートドライブを検知できないため、ソリッドステートドライブを初期化できない。従って、故障したソリッドステートドライブをソリッドステートドライブの工場へ送り、修理してもらわなければならない。しかし、このような場合、時間が掛かり不便である。
【発明の概要】
【発明が解決しようとする課題】
【０００３】
本発明の目的は、前記問題を解決し、損傷しているコードを自動的に検知し且つ修復することができるソリッドステートドライブを提供することである。
【課題を解決するための手段】
【０００４】
上記目的を達成するために、本発明に係るソリッドステートドライブは、板体と、板体に設置された制御チップと、板体に設置された複数の記憶チップと、板体に設置された記憶部と、を備え、記憶チップ及び記憶部にはコードが記憶され、制御チップは、記憶部に接続され、制御チップは記憶チップのコードが損傷されていると検知した場合、制御チップは記憶部からコードを読み取り、記憶チップにアップロードし、制御チップは記憶チップに接続され、記憶チップがデータを記憶する又は読み取るよう制御する。
【発明の効果】
【０００５】
本発明に係るソリッドステートドライブは、記憶チップのコードが損傷されているかどうかを判断し、コードが損傷されていると判断された場合、制御チップは記憶部からコードを読み取り、記憶チップにアップロードできるので、便利である。
【図面の簡単な説明】
【０００６】
【図１】本発明の実施形態に係るソリッドステートドライブのブロック図である。
【図２】図１に示すソリッドステートドライブがマザーボードに接続された状態を示す斜視図である。
【発明を実施するための形態】
【０００７】
図１及び図２に示したように、本発明の実施形態に係るソリッドステートドライブ１００は、板体１０を備え、該板体１０には、制御チップ１１と、複数の記憶チップ１２と、記憶部１３と、指示部品２１と、が設置されている。記憶部１３及び記憶チップ１２には、コードが設置されている。制御チップ１１は記憶部１３に接続され、記憶チップ１２のコードが故障したことを検知すると、記憶部１３からコードを読み取り、記憶チップ１２にアップロードする。また制御チップ１１は記憶チップ１２にも接続され、記憶チップ１２がデータを記憶する又は読み取るよう制御する。指示部品２１は、指示ライト１４１及び１４２を備える。本実施形態において、指示ライト１４１は赤色の発光ダイオードであり、指示ライト１４２は緑色の発光ダイオードである。制御チップ１１が記憶チップ１２にコードをアップロードした場合、指示ライト１４２が発光する。本実施形態において、記憶部１３は、電気的に消去可能なＥＥＰＲＯＭである。
【０００８】
板体１０は２つの側辺１９、２０を備え、側辺２０には、記憶装置コネクタ１１１が設置されている。また、記憶装置コネクタ１１１は、板体１０の一側から延伸する延伸板１４及び該延伸板１４上に設置されたエッジコネクタ１５を備える。エッジコネクタ１５は、複数の信号ピン１５１及び複数のグランドピン１５２を備える。信号ピン１５１は、２つの信号入力ピン及び２つの信号出力ピンを備える。グランドピン１５２の数量は三つである。信号ピン１５１は、制御チップ１１に接続され、グランドピン１５２は、板体１０のグランド層（図示せず）に接続されている。エッジコネクタ１５は、ＳＡＴＡ規格に準拠するエッジコネクタである。
【０００９】
板体１０の底辺１６には、エッジコネクタ１８及び開口１１０が設けられている。エッジコネクタ１８は、複数の電源ピン１８１及び複数のグランドピン１８２を備える。開口１１０は、電源ピン１８１とグランドピン１８２との間に設けられている。電源ピン１８１は制御チップ１１、記憶チップ１２及び記憶部１３に接続され、作動電圧を提供する。グランドピン１８２は、板体１０のグランド層(図示せず)に接続されている。また、板体１０の側辺２０における延伸板１４の下方には、係合孔１７が設けられており、側辺１９の下方にもこの係合孔１７に対応する位置にもう一つの係合孔１７が設けられている。
【００１０】
使用する際、ソリッドステートドライブ１００をエッジコネクタ１８を介してマザーボード２００のスロット２１０内に挿入して接続させる。この際、スロット２１０の両端に設置されている固定部２１１を、係合孔１７にそれぞれ係合させ、ソリッドステートドライブ１００をスロット２１０に固定する。次に、記憶装置コネクタ１１１を、両端にＳＡＴＡコネクタが備えられたケーブル１を介して、マザーボード２００上の記憶装置ポート２２０に接続させる。これにより、マザーボード２００は、スロット２１０、電源ピン１８１を介して、制御チップ１１、記憶チップ１２及び記憶部１３に電圧を送信する。制御チップ１１は、記憶チップ１２内のコードを検知し、コードが正常であると判断した場合、制御チップ１１及び記憶チップ１２は初期化を開始する。次いで、マザーボード２００は、記憶装置ポート２２０、ケーブル１及び記憶装置コネクタ１１１を介して、ＳＡＴＡ信号を制御チップ１１に送信し、記憶チップ１２がデータを記憶又は読み取るよう制御する。制御チップ１１は、コードが正常ではないと検知した場合、指示ライト１４１を点灯し、且つ記憶部１３からコードを読み取り、記憶チップ１２にアップロードする。コードのアップロード作業が完了すると、制御チップ１１は指示ライト１４２を点灯する。これによって、マザーボード２００が作動すると、スロット２１０及び電源ピン１８１を介して、制御チップ１１、記憶チップ１２及び記憶部１３に電圧を送信し、制御チップ１１及び記憶チップ１２は初期化を開始する。次いで、マザーボード２００は、記憶装置ポート２２０、ケーブル１及び記憶装置コネクタ１１１を介して、ＳＡＴＡ信号を制御チップ１１に送信し、記憶チップ１２がデータを記憶又は読み取るよう制御する。
【００１１】
本発明のソリッドステートドライブ１００は、制御チップ１１が記憶チップ１２のコードが損傷しているかどうかを判断し、損傷していると判断した場合、指示ライト１４１を点灯し、記憶部１３からコードを読み取った後、記憶チップ１２にアップロードして修復できるので、便利である。
【符号の説明】
【００１２】
１  ケーブル
１０  板体
１００  ソリッドステートドライブ
１１  制御チップ
１１０  開口
１１１  記憶装置コネクタ
１２  記憶チップ
１３  記憶部
１４  延伸板
１４１、１４２  指示ライト
１５、１８  エッジコネクタ
１５１  信号ピン
１５２、１８２  グランドピン
１６  底辺
１８１  電源ピン
１７  係合孔
１９、２０  側辺
２００  マザーボード
２１  指示部品
２１０  スロット
２２０  記憶装置ポート
２１１  固定部
【図１】
2015046163.tif 000003
【図２】
2015046163.tif 000004